【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
ネットワークで接続された複数のコンピュータがデジタルコンテンツをポリシに基づいて共有する方法であって、
前記複数のコンピュータのうちの第１のコンピュータによって実現されるダウンローダが、デジタルコンテンツピースの少なくとも第１の部分を形成する第１のコンテンツフラグメントであって、ポリシ情報が確実に関連付けられた第１のコンテンツフラグメントを前記ネットワークを介して取得する段階と、
前記ダウンローダが、前記デジタルコンテンツピースの少なくとも第２の部分を形成する第２のコンテンツフラグメントを前記ネットワークを介して取得する段階と、
前記ダウンローダが、前記ポリシ情報の少なくとも部分的制御の下で、前記第１のコンテンツフラグメントと前記第２のコンテンツフラグメントとを組み合わせることによって、前記デジタルコンテンツピースの少なくとも一部分を構築する段階と、を有する方法。
【請求項２】
前記ポリシ情報は、ライセンスに関する情報を含む、請求項１に記載の方法。
【請求項３】
前記ポリシ情報は、前記デジタルコンテンツピースおよび／または前記第１のコンテンツフラグメントに確実に関連付けられたマニフェスト中に配置される、請求項１に記載の方法。
【請求項４】
前記ダウンローダが、前記マニフェストを前記複数のコンピュータのうちの第２のコンピュータによって実現されるトラッカから前記ネットワークを介して取得する段階をさらに有する、請求項３に記載の方法。
【請求項５】
前記ダウンローダが、前記第２のコンピュータまたは前記複数のコンピュータのうちの第３のコンピュータによって実現されるアップローダに前記第１のコンテンツフラグメントを要求する段階と、
前記ダウンローダが、前記アップローダに権限付与情報を提示することによって、前記アップローダは、前記第１のコンテンツフラグメントに関連付けられたポリシ情報によって前記アップローダが前記第１のコンテンツフラグメントを提供することを許可されるか否かを決定できるようにする段階と、をさらに有する、請求項３に記載の方法。
【請求項６】
前記権限付与情報は、前記要求する段階を実行するエンティティの識別情報を有する、請求項５に記載の方法。
【請求項７】
ネットワークで接続された複数のコンピュータを有し、該複数のコンピュータがデジタルコンテンツをポリシに基づいて共有するシステムであって、
デジタルコンテンツピースの少なくとも一部分を形成する複数のコンテンツフラグメントと、前記複数のコンテンツフラグメントを特定するよう構成されるマニフェストであって、前記コンテンツフラグメントおよび／または前記デジタルコンテンツピースの少なくとも１つに関連付けられたポリシ情報を有するマニフェストと、を記憶する記憶部と、
前記複数のコンピュータのうちの第１のコンピュータによって実現されるアップローダであって、前記コンテンツフラグメントの少なくとも１つを提供するよう構成されるアップローダと、
前記複数のコンピュータのうちの第２のコンピュータによって実現されるダウンローダであって、前記複数のコンテンツフラグメントを取得し、前記ポリシ情報に従って前記コンテンツフラグメントを少なくとも１回使用するよう構成されるダウンローダと、
前記第１のコンピュータまたは前記複数のコンピュータのうちの第３のコンピュータによって実現されるトラッカであって、前記ダウンローダが前記アップローダを容易に見つけることができるよう構成されるトラッカと、を有するシステム。
【請求項８】
前記マニフェストは、一意のデジタルコンテンツ識別情報と、デジタルコンテンツのメタデータと、デジタルコンテンツの配信ポリシ情報と、デジタルコンテンツの保全性ポリシ情報と、デジタルコンテンツの機密性ポリシ情報とから構成されるグループより選択された少なくとも１つの情報構成要素を含む、請求項７に記載のシステム。
【請求項９】
前記マニフェストは、少なくとも１つのコンテンツフラグメント記述子をさらに含む、請求項８に記載のシステム。
【請求項１０】
前記少なくとも１つのコンテンツフラグメント記述子は、一意のフラグメント識別子と、フラグメントの保全性情報と、フラグメントレベルの配信ポリシ情報と、フラグメントのメタデータと、から構成されるグループより選択された少なくとも１つの情報構成要素を含む、請求項９に記載のシステム。
【請求項１１】
前記トラッカは、コンテンツレベルのポリシとフラグメントレベルのポリシとを実行するよう構成される、請求項７に記載のシステム。
【請求項１２】
前記トラッカは、前記ダウンローダにコンテンツフラグメントを転送する権限が与えられたアップローダに関する情報を提供するよう構成される、請求項１１に記載のシステム。
【請求項１３】
前記アップローダは、前記コンテンツフラグメントを前記ダウンローダに提供することと、コンテンツレベルのポリシおよびフラグメントレベルのポリシを実行することと、１つまたは複数のコンテンツフラグメントの場所に関する情報を配信することと、から構成されるグループより選択された少なくとも１つのサービスを提供するよう構成される、請求項７に記載のシステム。
【請求項１４】
前記ダウンローダは、前記コンテンツフラグメントを検証することと、前記コンテンツレベルのポリシおよびフラグメントレベルのポリシを実行することと、前記コンテンツフラグメントを前記コンテンツに再編集することと、前記１つまたは複数のコンテンツフラグメントの場所に関する情報を配信することと、から構成されるグループより選択された少なくとも１つの動作を実行するよう構成される、請求項１３に記載のシステム。
【請求項１５】
ネットワークに接続された第１のコンピュータによって実現されるパッケージャが、前記ネットワークを介して完全なデジタルコンテンツを受信する段階と、
前記パッケージャが、前記完全なデジタルコンテンツを複数のコンテンツフラグメントに変換する段階と、
前記パッケージャが、ポリシをマニフェストを介してデジタルコンテンツに関連付ける段階と、を有するデジタルコンテンツを配信する方法。
【請求項１６】
前記ポリシによって、前記第１のコンピュータまたは前記ネットワークに接続された第２のコンピュータによって実現される潜在的アップローダは、一定の認証情報を提供するよう要求される、請求項１５に記載の方法。
【請求項１７】
前記ポリシによって、前記ネットワークに接続された第３のコンピュータによって実現される潜在的ダウンローダは、予め定義した順序で前記コンテンツフラグメントの少なくともいくつかを取得するよう要求される、請求項１５に記載の方法。
【請求項１８】
前記ポリシによって、前記潜在的ダウンローダは、前記複数のフラグメントのいずれかを取得する前に有効なライセンスフラグメントを取得するよう要求される、請求項１７に記載の方法。
【請求項１９】
前記ポリシによって、前記潜在的ダウンローダは、他のコンテンツを含む１つまたは複数の他のフラグメントを取得する前に、広告を含む１つまたは複数のフラグメントを取得するよう要求される、請求項１７に記載の方法。
【請求項２０】
前記ポリシによって、前記潜在的ダウンローダは、前記複数のコンテンツフラグメントの少なくともいくつかを取得するのにＤＲＭライセンスから取得した情報を提示するよう要求される、請求項１５に記載の方法。